(57)【要約】【課題】本体装置にオプションユニット及びオプション電源が追加される場合でも、各ユニットのパフォーマンスを最大限に活用することができるシステム装置を提供する。【解決手段】システム装置は、本体電源と、本体に標準で内蔵されるリーダ２０８と、オプションで追加されるＡＤＦ２０９と、ＡＤＦ２０９が追加される際に追加されるオプションＤＣ電源２０４を備える。そして、ＡＤＦ２０９とオプションＤＣ電源２０４追加時には、リーダ２０８の電源がオプションＤＣ電源２０４から供給される。即ち、コネクタ２０７とコネクタ２０５が接続されると、リーダ２０８とＡＤＦ２０９共にオプションＤＣ電源２０４からの電力で動作するように構成した。【選択図】図７
2008105349.tif 000002
【特許請求の範囲】
【請求項１】
本体装置に電源を供給する本体電源と、前記本体装置に標準で内蔵される標準ユニットとを備え、前記本体装置にオプションで追加されるオプションユニットの接続時に前記オプションユニットに電源を供給するためのオプション電源が接続されるシステム装置において、
前記オプションユニット及び前記オプション電源の接続時に、前記標準ユニットへ供給する電源を前記オプション電源から供給することを特徴とするシステム装置。
【請求項２】
本体装置に電源を供給する本体電源と、前記本体装置に標準で内蔵される標準ユニットとを備え、前記本体装置にオプションで追加されるオプションユニットの追加時に前記オプションユニットに電源を供給するためのオプション電源が接続されるシステム装置において、
前記標準ユニット及び前記オプションユニットの電源線が接続される第１のコネクタと、
前記本体電源から前記標準ユニットへの電源供給線が接続される第２のコネクタと、を備え、前記オプション電源には、前記標準ユニット及び前記オプションユニットへの電源供給線が接続される第３のコネクタが設けられ、
前記システム装置は、前記オプションユニットの非接続時には、前記第１のコネクタと前記第２のコネクタとが接続された状態で動作し、前記オプションユニットの接続時には、前記第１のコネクタと前記第３のコネクタとが接続された状態で動作することを特徴とするシステム装置。
【請求項３】
前記本体電源と前記オプション電源の電源コードを別々に設けたことを特徴とする請求項１又は２に記載のシステム装置。
【請求項４】
本体装置に電源を供給する本体電源と、前記本体装置に標準で内蔵される標準ユニットとを備え、前記本体装置にオプションで追加されるオプションユニット接続時に前記オプションユニットに電源を供給するためのオプション電源が接続されるシステム装置の電源接続方法であって、
前記標準ユニット及び前記オプションユニットの電源線が接続される第１のコネクタと、前記本体電源から前記標準ユニットへの電源供給線が接続される第２のコネクタと、
前記オプション電源から前記標準ユニット及び前記オプションユニットへの電源供給線が接続される第３のコネクタとを予め設けておき、
前記オプションユニットの追加時には、前記第１のコネクタを前記第３のコネクタに接続し、前記オプションユニットの非追加時には、前記第１のコネクタを前記第２のコネクタに接続することを特徴とするシステム装置の電源接続方法。
【発明の詳細な説明】
【技術分野】
【０００１】
本発明は、ＡＤＦなどのオプションユニットが追加される複写機等のシステム装置及びその電源接続方法に関する。
【背景技術】
【０００２】
複写機に自動原稿搬送装置（ＡＤＦ：Auto Document Feeder）やフィニッシャ等のオプションユニットを接続する際に、オプションＤＣ電源を追加する必要のある複写機システムは、既に知られている（例えば、特許文献１等参照）。これらの複写機システムの電源接続構成としては、例えば、図１４及び図１５に示すようなものがあった。
【０００３】
図１４は、従来の複写機システムの電源接続構成の概略を示すブロック図である。
【０００４】
この複写機システムの電源接続構成では、リーダ１０１１等の本体装置に電源を供給する本体電源１０１２の他に、オプションユニット１００１の追加による電源供給を賄うためにオプションＤＣ電源１００２が追加されている。
【０００５】
図１５は、従来の複写機システムの他の電源接続構成の概略を示すブロック図である。
【０００６】
この複写機システムの電源接続構成では、ＡＣ電源コードを流れるＡＣ消費電流の増加に対応するため、ＡＣ電源コードの増設が行われている。即ち、本体電源１０１２とオプションＤＣ電源１００２のＡＣ電源コード１０２１，１０２２は、それぞれ別々に設けられている。
【０００７】
このような従来の複写機システムでは、オプションＤＣ電源からの電力は、追加されたオプションユニットに対してのみ供給されている。
【特許文献１】特開２００３−５０５２９号公報
【発明の開示】
【発明が解決しようとする課題】
【０００８】
しかしながら、上記従来の複写機システムでは、次のような問題点があった。
【０００９】
複写機に標準的に備えられているリーダの動作を考えると、ＡＤＦが無い場合には圧板によるコピーとなり、ユーザーが原稿交換を行うため、１分当たり最大でも５〜１０枚程度の原稿読み取りしか行われず、消費電力は４０Ｗ程度である。しかし、ＡＤＦが接続された場合、原稿がリーダに対して連続して給送されるため、１分当たりの原稿読み取りの回数が増え、例えば３０枚／分の原稿読み取りが行われる。
【００１０】
このような場合、リーダの消費電力はＡＤＦの追加により増加して９０Ｗ程度になる。リーダの電力が複写機本体の電源から供給されているため、複写機本体の電源の電源容量を越えないように、１分当たりの原稿給送を制限する必要があり、パフォーマンスに悪影響を及ぼすという問題があった。
【００１１】
本発明は上記従来の問題点に鑑み、本体装置にオプションユニット及びオプション電源が追加される場合でも、各ユニットのパフォーマンスを最大限に活用することができるシステム装置及びその電源接続方法を提供することを目的とする。
【課題を解決するための手段】
【００１２】
上記目的を達成するために、本発明のシステム装置は、本体装置に電源を供給する本体電源と、前記本体装置に標準で内蔵される標準ユニットとを備え、前記本体装置にオプションで追加されるオプションユニットの接続時に前記オプションユニットに電源を供給するためのオプション電源が接続されるシステム装置において、前記オプションユニット及び前記オプション電源の接続時に、前記標準ユニットへ供給する電源を前記オプション電源から供給することを特徴とする。
【００１３】
また、本発明のシステム装置は、本体装置に電源を供給する本体電源と、前記本体装置に標準で内蔵される標準ユニットとを備え、前記本体装置にオプションで追加されるオプションユニットの追加時に前記オプションユニットに電源を供給するためのオプション電源が接続されるシステム装置において、前記標準ユニット及び前記オプションユニットの電源線が接続される第１のコネクタと、前記本体電源から前記標準ユニットへの電源供給線が接続される第２のコネクタと、を備え、前記オプション電源には、前記標準ユニット及び前記オプションユニットへの電源供給線が接続される第３のコネクタが設けられ、前記システム装置は、前記オプションユニットの非接続時には、前記第１のコネクタと前記第２のコネクタとが接続された状態で動作し、前記オプションユニットの接続時には、前記第１のコネクタと前記第３のコネクタとが接続された状態で動作することを特徴とする。
【００１４】
また、本発明のシステム装置の電源接続方法は、本体装置に電源を供給する本体電源と、前記本体装置に標準で内蔵される標準ユニットとを備え、前記本体装置にオプションで追加されるオプションユニット接続時に前記オプションユニットに電源を供給するためのオプション電源が接続されるシステム装置の電源接続方法であって、前記標準ユニット及び前記オプションユニットの電源線が接続される第１のコネクタと、前記本体電源から前記標準ユニットへの電源供給線が接続される第２のコネクタと、前記オプション電源から前記標準ユニット及び前記オプションユニットへの電源供給線が接続される第３のコネクタとを予め設けておき、前記オプションユニットの追加時には、前記第１のコネクタを前記第３のコネクタに接続し、前記オプションユニットの非追加時には、前記第１のコネクタを前記第２のコネクタに接続することを特徴とする。
【発明の効果】
【００１５】
本発明によれば、本体装置にオプションユニット及びオプション電源が追加される場合に、本体電源の電源容量によって各ユニットのパフォーマンスに制限を設ける必要がなく、各ユニットのパフォーマンスを最大限に活用することが可能になる。
【００１６】
また、オプション電源が設置されていない場合は、オプションユニットが動作しないので、正しい組み合わせと接続で使用することを促すことができる。
【発明を実施するための最良の形態】
【００１７】
以下、本発明の実施の形態について、図面を参照しながら説明する。
【００１８】
［第１の実施の形態］
＜第１の実施の形態に係る画像形成装置の構成＞
図１は、本発明の第１の実施の形態に係るシステム装置を構成する画像形成装置の概略構成を示す模式的断面図である。
【００１９】
この画像形成装置１は、オプション装置であるＡＤＦ２０９により原稿が原稿台ガラス３の所定位置に順次送られる。原稿台ガラス３上に載置された原稿の画像データは、例えばハロゲンランプ等にて構成される原稿照明ランプ４が露光又は露光走査するように設定された原稿読取装置（リーダ）２０８により読み取られる。
【００２０】
原稿照明ランプ４は、露光又は露光走査にて得られた反射光像の軌道を反射して変更するための走査ミラー５、６、７と共に、画像形成装置１に紙面法線方向及び紙面水平方向に自在に支持された光学走査ユニットに保持されている。そして、光学走査ユニットが紙面法線方向及び紙面水平方向への往復運動を繰り返すことにより、原稿の全画像データが原稿照明ランプ４にて露光走査されることとなる。これによって、得られた反射光像は、走査ミラー５、６、７を介してＣＣＤユニット８へと導かれる。
【００２１】
画像形成装置１に備えられたＣＣＤユニット８は、例えば公知のＣＣＤ等から構成される撮像素子９と、得られた反射光像を撮像素子９に結像する結像レンズ１０と、例えば撮像素子９を駆動するＣＣＤドライバ１１とを有する。そして、得られた反射光像に応じて撮像素子９から出力される出力信号を、例えば８ビットのデジタルデータに変換した後、コントローラ部１２に入力するようになっている。
【００２２】
画像形成装置１に備えられた原稿照明ランプ４の露光走査によって得られた反射光像はＣＣＤユニット８内の撮像素子９に結像されるが、原稿照明ランプの長手方向の配光分布や撮像素子９の感度ムラ等の影響を排除するため白色板６２が備えられている。白色板６２は原稿照明ランプ４にて読み取る面に白色の塗装が為されており、この白色板６２の反射光像を撮像素子９に結像させ、この時のデジタルデータを画像形成装置１に備えられたコントローラ部１２に入力する。
【００２３】
また、画像形成装置１は、潜像坦持体としての感光ドラム１４と、感光ドラム１４の外周面を除電して次なる画像形成に備える前露光ランプ１５と、感光ドラム１４の外周面を帯電せしめて潜像形成に備える一次帯電器１６を備えている。さらに、レーザユニット１７と現像器１８を備えている。
【００２４】
レーザユニット１７は、半導体レーザ等により構成され、一次帯電器１６の帯電処理を受けた感光ドラム１４の外周面を、コントローラ部１２から入力されたデジタルデータに基づき露光する。そして、これによって与えられた画像データに応じた静電潜像が感光ドラム１４の外周面上に形成される。現像器１８は、感光ドラム１４の外周面上に形成された静電潜像を現像剤（以下、トナーと称する）を付与して顕像（トナー像）へと現像する。
【００２５】
画像形成装置１に備えられた感光ドラム１４の周囲には、前露光ランプ１５、一次帯電器１６、現像器１８、転写前帯電器１９、転写帯電器２０、分離帯電器２１、及びクリーナ２２が設けられている。転写前帯電器１９は、転写前に、感光ドラム１４の外周面上の顕像に高圧を付与する。転写帯電器２０は、例えば公知のコロナ放電等にて顕像を記録紙Ｐへと転写する。分離帯電器２１は、転写処理の終了した記録紙Ｐを感光ドラム１４の外周面から分離する。クリーナ２２は、転写終了後に感光ドラム１４の外周面上に残留した現像剤を除去して回収する。
【００２６】
即ち、感光ドラム１４の外周面上に形成されたトナー像は、先ず転写前帯電器１９にて高圧付与される。次に給紙ユニット２３、２４、２５のいずれかから、記録紙Ｐが、レジストローラ２６によるタイミング設定等を経て感光ドラム１４と転写帯電器２０との間の転写領域に搬送される。これによって、転写領域に達した記録紙Ｐは、転写帯電器２０のコロナ放電等により感光ドラム１４の外周面上のトナー像を転写された後、分離帯電器２１により感光ドラム１４の外周面から分離されることとなる。
【００２７】
一方、転写処理の終了した感光ドラム１４は、外周面上に残留した現像剤をクリーナ２２により除去することにより、次なる画像形成に備えられる。
【００２８】
また、画像形成装置１は、定着器２７、搬送ベルト２８、フラッパ２９、中間トレイ３０、ステイプルソータ３１又は製本装置（グルーバインダ）３２のいずれか一方の装置とを備えている。定着器２７は、熱供給及び圧力付与により定着処理を為す。搬送ベルト２８は、転写領域にてトナー像を転写された記録紙Ｐを定着器２７へと搬送する。
【００２９】
フラッパ２９は、コントロール部１２の制御に基づき、定着器２７にて定着処理の為された記録紙Ｐを中間トレイ３０又はステイプルソータ３１のいずれか一方に搬送するようになっている。中間トレイ３０は、搬送ローラ３３、３４、３５、３６を介して搬送されてきた記録紙Ｐを、同一面上に複数の画像を形成するモード、つまり多重転写モードが実行されている場合には、表裏反転せずに再搬送ローラ３７へと搬送する。そして、同一の記録紙Ｐの両面に画像を形成するモード、つまり両面複写モードが実行されている場合には、表裏反転して再搬送ローラ３７へと搬送するようになっている。再搬送ローラ３７は、中間トレイ３０から搬送されてきた記録紙Ｐをレジストローラ２６へと搬送するようになっている。
【００３０】
これによって、レジストローラ２６に達した記録紙Ｐは、再度転写領域へと搬送されて転写処理を為され、次に、搬送ベルト２８にて定着器２７へと搬送されて定着処理を為されたのち、ステイプルソータ３１或いはグルーバインダ３２に排紙される。
【００３１】
ステイプルソータ３１は、複数枚の記録紙Ｐを連続して画像を形成するモード、つまり連続複写モードが実行されているときなどに、所定枚数の範囲内において、定着処理の為された複数枚の記録紙Ｐを各ビン３１Ａに仕分け可能な装置である。そして、ステイプルソータ３１が画像形成装置１に備えられている場合には、ステイプル部３１Ｂがコントローラ部１２の制御に基づきステイプルの実行を為すように設定される。
【００３２】
一方、グルーバインダ３２は、定着処理の為された複数枚の記録紙Ｐを製本する装置である。グルーバインダ３２が画像形成装置１に備えられた場合には、バインダ部３２Ａがコントロール部１２の制御に基づき、定着処理の為された複数枚の記録紙Ｐより成る紙束に背表紙を糊付けして製本し、スタッカー３２Ｂに貯えるよう設定される。
【００３３】
図２は、図１の画像形成装置１に備えられたコントローラ部１２の構成を示すブロック図である。
【００３４】
コントローラ部１２は、画像形成装置全体の制御を為すとともに、使用者による操作パネル１３の手動操作に沿って、ＣＣＤユニット８から入力されたデジタルデータを画像処理する装置である。そして、ＣＰＵ３８、ＲＯＭ３９、ＲＡＭ４０、Ｉ／Ｏポート４１、及び画像処理部４２を有している。
【００３５】
ＣＰＵ３８は、画像形成装置全体の制御を主として担い、ＲＯＭ３９には、装置全体の制御手順（制御プログラム）等が予め記憶されている。ＲＡＭ４０は、入力データの記憶や作業記憶領域等として用いられる主記憶装置である。Ｉ／Ｏポート４１は、装置間のインターフェースを為す。画像処理部４２は、使用者の操作パネル１３の手動操作に基づき、ＣＣＤユニット８から入力されたデジタルデータを画像処理する。
【００３６】
コントローラ部１２の有するＣＰＵ３８のアドレスバス及びデータバスは、バスドライバ・アドレスデコーダ回路４３を介してＲＯＭ３９、ＲＡＭ４０、Ｉ／Ｏポート４１及び画像処理部４２と接続されている。
【００３７】
Ｉ／Ｏポート４１は、操作パネル１３、モータ類４４、電磁クラッチ類４５及び電磁ソレノイド類４６と、紙検知センサ類４７と、トナー残量検知センサ４８と、高圧ユニット５１と、ビーム検知センサ５２とに接続されている。
【００３８】
図３は、上記コントローラ部１２が有する画像処理部４２の概略構成を示すブロック図である。
【００３９】
画像処理部４２にあっては、先ず、ＣＣＤユニット８によりアナログデータからデジタルデータに変換し、シェーディング回路５３にて撮像素子９の各画素の感度バラツキを補正する。その後、変倍回路５４が、画像データの間引き処理や補間処理を行う。更に、シェーディング回路５３からはエラー信号がＩ／Ｏポート４１に対して出力される。
【００４０】
次に、変倍回路５４にて間引き処理或いは補間処理のいずれかが為されたデジタルデータは、エッジ強調回路５５により、画像のエッジを強調される。エッジ強調回路５５にてエッジ強調されたデジタルデータは、輝度データであり、γ変換回路５６のテーブルサーチにより、輝度データから濃度データへと変換され、更に、合成回路５８に入力される。
【００４１】
合成回路５８は、入力されたデジタルデータと、例えばＤＲＡＭ等により構成される画像用メモリ５９内の画像データとを、選択的にＰＷＭ回路６０へと出力する。
【００４２】
よって、ＰＷＭ回路６０は、入力されたデジタルデータをパルス幅変調し、レーザユニット１７を駆動する。
【００４３】
図４は、操作パネル１３の概略構成を示す平面図である。
【００４４】
操作パネル１３では、使用者が、部数、出力濃度、仕分け等の像形成モードを設定する。これにより、コントローラ部１２が為す画像処理の指示を為す。
【００４５】
操作パネル１３は、公知のタッチパネル形態を採られており、表示部６３と、テンキー６４と、スタートキー６５と、リセットキー６６と、ストップキー６７と、電源スイッチ７４等とを有している。
【００４６】
表示部６３は、使用者への指示をメッセージ等にて表示可能となっており、テンキー６４は、使用者がコピー枚数等を入力するためのキーである。また、スタートキー６５は、画像形成装置１に画像形成の開始を指示するためのキーであり、リセットキー６６は、モード等の設定を初期設定に戻すためのキーである。
【００４７】
電源スイッチ７４は、画像形成装置１への電源供給をオンオフする際に操作される。
【００４８】
図５は、上記画像形成装置１に備えられたレーザユニット１７等の概略構成を示す模式図である。
【００４９】
レーザユニット１７は、レーザ発光部１０１と、ポリゴンモータ１０３と、結像レンズ１０４と、反射ミラー１０５と、ＢＤ反射ミラー１０７を有している。反射ミラー１０５で反射されたレーザ光は感光ドラム１４を露光走査し、感光ドラム１４に潜像を形成する。
【００５０】
レーザ発光部１０１には、８０μｍ間隔で２つの発光部をもつ半導体レーザで、感光ドラム１４上で２本のレーザ光（Ａレーザ、Ｂレーザ）の走査線間隔が所定の値となるように傾けて配置されている。
【００５１】
＜第１の実施の形態に係る画像形成装置の電源接続構成＞
次に、本実施の形態に係る画像形成装置の電源接続構成について、図６及び図７を用いて説明する。
【００５２】
図６は、第１実施の形態に係る画像形成装置１の電源接続構成を示すブロック図であり、図７は、図６の詳細を示すブロック図である。
【００５３】
上記画像形成装置１の本体電源２０１は、本体内のＤＣ負荷にＤＣ電力（２４Ｖ）を供給する。画像形成装置１は、本体装置に標準で内蔵される標準ユニットとして、駆動ユニット２０２、高圧ユニット２０３、及びリーダ２０８を備えている。
【００５４】
駆動ユニット２０２は、紙搬送やポリゴンの駆動といった駆動系負荷の制御を、本体電源から電力の供給を受けて行う。高圧ユニット２０３は、帯電、現像、転写等の高圧駆動を本体電源から電力の供給を受けて行う。また、画像形成装置１の本体装置にオプションで追加されるオプションユニットとして、ＡＤＦ２０９が装備される。
【００５５】
本実施の形態における特徴的な部分はリーダ２０８及びＡＤＦ２０９の電源接続に関する部分である。標準ユニットの一部であるリーダ２０８とオプションユニットであるＡＤＦ２０９の電源線は共にコネクタ２０５（４ピン：オス）に接続されている。コネクタ２０６（４ピン：メス）は本体電源２０１に接続されているが、ＡＤＦ２０９の電源線に対応するピンには電源２４Ｖが接続されていない。オプションＤＣ電源２０４にはコネクタ２０７（４ピン：メス）が接続されており、リーダ２０８及びＡＤＦ２０９に対応するピンに電源２４Ｖが接続されている。
【００５６】
図７にコネクタへの電源の接続の詳細を示す。
【００５７】
図７に示すように、各コネクタ２０５〜２０７は、第１ピンから第４ピンまでの４ピンのコネクタである。コネクタ２０６には本体電源から第１及び第２ピンに電源線が接続されているが、第３及び第４ピンは空きとなっており、電源線が接続されていない。よって、オプションＤＣ電源２０４が設置されておらず、本体電源２０１からのコネクタ２０６とコネクタ２０５が接続された状態では、たとえＡＤＦ２０９を接続したとしても動作しない。
【００５８】
一方、オプションＤＣ電源２０４に接続されたコネクタ２０７には、第１及び第２ピン、第３及び第４ピン共に電源が供給されている。したがって、オプションＤＣ電源２０４が設置されて、コネクタ２０７とコネクタ２０５が接続されると、リーダ２０８とＡＤＦ２０９共にオプションＤＣ電源２０４からの電力で動作する。
【００５９】
＜第１の実施の形態に係る利点＞
第１の実施の形態によれば、画像形成装置１にオプションユニット２０９及びオプションＤＣ電源２０４が追加された場合に、コネクタ２０７とコネクタ２０５が接続されると、リーダ２０８とＡＤＦ２０９共にオプションＤＣ電源２０４からの電力で動作する。したがって、オプションユニットであるＡＤＦ２０９を追加することでリーダ２０８の消費電力が増える場合も、オプションＤＣ電源２０４からリーダ２０８の電力を供給することができる。これにより、本体装置の電源容量をＡＤＦ２０９の分を見込んで大きくしたり、本体電源の容量を越えないように、ＡＤＦ２０９とリーダ２０８のパフォーマンスを下げる必要がない。
【００６０】
また、オプションＤＣ電源２０４が設置されていない場合は、オプションユニットであるＡＤＦ２０９を接続したとしてもＡＤＦ２０９が動作しないので、正しい組み合わせと接続で使用することを促すことができる。
【００６１】
＜第１の実施の形態に係る変形例＞
本実施の形態では、本体電源の電源容量の問題からオプションＤＣ電源２０４にリーダ２０８を接続する構成を説明したが、その他の場合として、図８のように本体電源とオプションＤＣ電源２０４のＡＣ電源コードが別々になっている場合もある。
【００６２】
図８は、第１の実施の形態に係る変形例を示すブロック図である。
【００６３】
図８において、ＡＣ電源コード２１０は本体装置に標準で接続されているものである。一方、ＡＣ電源コード２１１は、オプションＤＣ電源２０４に接続されている。
【００６４】
オプション装置であるＡＤＦ２０９が追加されない状態で、本体ＡＣ電源コードが定格電流の１５Ａに近い状態であった場合にＡＤＦ２０９を追加すると、次のような問題が生ずる。即ち、たとえ本体電源の電源容量に余裕があり、ＡＤＦ２０９を駆動する電力の供給ができたとしても、画像形成装置全体のトータルの電力が増えてＡＣ電源コードを流れる電流が１５Ａを超え、電源コードの定格電流を超えてしまう。
【００６５】
そこで、ＡＤＦ２０９及びオプションＤＣ電源２０４追加時には、リーダ２０８をオプションＤＣ電源２０４に接続することでＡＣ電源コードを本体装置とは別にし、本体電源２０１の電源コード２１０に流れる電流が定格電流を超えないようにすることができる。
【００６６】
［第２の実施の形態］
＜第２の実施の形態に係る画像形成装置の構成＞
第２の実施の形態のシステム装置を構成する画像形成装置では、標準ユニットとしてシート処理装置を装備し、またオプションユニットとしてインサータを装備する。
【００６７】
図９は、本発明の第２の実施の形態に係るシステム装置を構成する画像形成装置の概略構成を示す模式的断面図である。
【００６８】
本実施の形態の画像形成装置１には、シート処理装置２が接続されている。画像形成装置１の詳細な動作は第１の実施の形態と同等であるのでここでは省く。また、シート処理装置の動作も概略を述べるに留める。
【００６９】
シート処理装置２には追加オプションでインサータ３０９が接続されている。シート処理装置２は、画像形成装置から排出された用紙を束ねたり、ステイプル／折りといった製本処理を行うものである。またインサータ３０９は予め画像が印刷された表紙などの用紙をシート処理装置２に供給するものである。インサータ３０９が接続されない場合、シート処理装置の処理する用紙は全て画像形成装置１から供給されるので、１分当たりの処理枚数は画像形成装置の性能により制限される。ここで例えば、シート処理装置の処理能力がＡ４サイズのシートで６０枚／分であっても、画像形成装置の処理能力がＡ４サイズのシートで３０枚／分であれば、システムとしての処理能力は当然３０枚／分となる。
【００７０】
このシステムにインサータ３０９が接続された場合、シート処理装置に対して画像形成装置１とインサータ３０９の両方から用紙が供給されるので、条件によっては、シート処理装置を能力上限の６０枚／分で使用することが可能となる。このような場合、用紙の処理枚数によりシート処理装置の消費電力は増加する。例えば、インサータが接続されていない場合に、３０枚／分の能力で動作し９０Ｗ（２４Ｖ）消費するが、インサータを接続した場合、６０枚／分の能力で動作し１４０Ｗ消費してしまう。
【００７１】
そこで、このシステムにおいては、インサータ３０９が接続されない場合、シート処理装置の電源は画像処理装置１の本体電源から供給される。インサータ３０９がオプションとして追加された場合には、オプションＤＣ電源２０４を設置し、シート処理装置２の電源もオプションＤＣ電源２０４から供給する。
【００７２】
＜第２の実施の形態に係る画像形成装置の電源接続構成＞
次に、本実施の形態に係る画像形成装置の電源接続構成について、図１０及び図１１を用いて説明する。
【００７３】
図１０は、第２実施の形態に係る画像形成装置１の電源接続構成を示すブロック図であり、図１１は、図１０の詳細を示すブロック図である。
【００７４】
本実施の形態における特徴的な部分は、シート処理装置３０８及びインサータ３０９の電源接続に関する部分である。本実施の形態に係る電源接続構成は、前述した第１の実施の形態の図６及び図７を用いた説明において、リーダ２０８及びＡＤＦ２０９をそれぞれシート処理装置３０８及びインサータ３０９に置き換えたものになる。したがって説明を省略する。
【００７５】
＜第２の実施の形態に係る利点＞
第２の実施の形態によれば、オプションユニットであるインサータ３０９を追加することでシート処理装置３０８の消費電力が増える場合も、オプションＤＣ電源２０４からシート処理装置３０８の電力を供給することができる。したがって、本体の電源容量をインサータの分を見込んで大きくしたり、本体電源の容量を越えないように、インサータとシート処理装置のパフォーマンスを下げる必要がない。
【００７６】
＜第２の実施の形態に係る変形例＞
図１２は、第２の実施の形態に係る変形例を示すブロック図である。
【００７７】
第２の実施の形態に係る変形例も同様に、図１２に示すように、リーダ２０８及びＡＤＦ２０９をそれぞれシート処理装置３０８及びインサータ３０９に置き換えたものになる。
【００７８】
この変形例によれば、インサータ３０９及びオプションＤＣ電源２０４の追加時には、シート処理装置３０８をオプションＤＣ電源２０４に接続する。オプションＤＣ電源２０４のＡＣ電源コード２１１は本体装置のＡＣ電源コード２１０とは別であるので、本体電源２０１の電源コード２１０に流れる電流が定格電流を超えるのを防止することができる。
【００７９】
［第３の実施の形態］
＜第３の実施の形態に係る電源接続構成＞
図１３は、本発明の第３実施の形態に係る画像形成装置の電源接続構成を示すブロック図である。
【００８０】
第３の実施の形態が上記第１の実施の形態と異なる点は、リーダ２０８の電源接続の変更をコネクタではなくリレー３０２で行う点である。
【００８１】
本実施の形態の画像形成装置には、リレー３０２が実装されたリレー基板３０１が設置されている。リレー３０２の接点は通常ＮＣ側になっており、オプションＤＣ電源２０４が無い場合や、本体装置に通電されていない場合には本体電源２０１とリーダ２０８が接続されている。
【００８２】
オプションＤＣ電源２０４が本体装置に装備されてＡＣ電源が供給されると、オプションＤＣ電源２０４の２４Ｖが出力され、２４Ｖがリレー３０２のコイルに供給される。すると、リレー３０２の接点がＮＯ側に切り替わり、オプションＤＣ電源２０４とリーダ２０８が接続される。
【００８３】
＜第３の実施の形態の利点＞
本実施の形態によれば、コネクタの接続変更を行わなくても、オプションＤＣ電源２０４を設置するだけで、リーダ２０８への電源供給元を変更することができる。
【００８４】
なお、本実施の形態では、オプションＤＣ電源２０４の出力でリレー３０２を励磁してリーダ２０８への電源供給元を切り替える例を示したが、必ずしもリレーを用いる必要は無く、ＦＥＴ等の半導体スイッチング素子で切り替えを行っても良い。
【図面の簡単な説明】
【００８５】
【図１】第１の実施の形態に係るシステム装置を構成する画像形成装置の概略構成を示す模式的断面図である。
【図２】図１の画像形成装置に備えられたコントローラ部の構成を示すブロック図である。
【図３】コントローラ部が有する画像処理部の概略構成を示すブロック図である。
【図４】操作パネルの概略構成を示す平面図である。
【図５】画像形成装置に備えられたレーザユニット等の概略構成を示す模式図である。
【図６】第１実施の形態に係る画像形成装置１の電源接続構成を示すブロック図である。
【図７】図６の詳細を示すブロック図である。
【図８】第１の実施の形態に係る変形例を示すブロック図である。
【図９】第２の実施の形態に係るシステム装置を構成する画像形成装置の概略構成を示す模式的断面図である。
【図１０】第２実施の形態に係る画像形成装置１の電源接続構成を示すブロック図である。
【図１１】図１０の詳細を示すブロック図である。
【図１２】第２の実施の形態に係る変形例を示すブロック図である。
【図１３】第３実施の形態に係る画像形成装置の電源接続構成を示すブロック図である。
【図１４】従来の複写機システムの電源接続構成の概略を示すブロック図である。
【図１５】従来の複写機システムの他の電源接続構成の概略を示すブロック図である。
【符号の説明】
【００８６】
１  画像形成装置
２  原稿自動送り装置
２０１  本体電源
２０２  駆動ユニット
２０３  高圧ユニット
２０４  オプションＤＣ電源
２０５〜２０７  コネクタ
２０８  リーダ
２０９  ＡＤＦ
【図１】
2008105349.tif 000003
【図２】
2008105349.tif 000004
【図３】
2008105349.tif 000005
【図４】
2008105349.tif 000006
【図５】
2008105349.tif 000007
【図６】
2008105349.tif 000008
【図７】
2008105349.tif 000009
【図８】
2008105349.tif 000010
【図９】
2008105349.tif 000011
【図１０】
2008105349.tif 000012
【図１１】
2008105349.tif 000013
【図１２】
2008105349.tif 000014
【図１３】
2008105349.tif 000015
【図１４】
2008105349.tif 000016
【図１５】
2008105349.tif 000017